(57)【特許請求の範囲】
【請求項１】
複数の無線基地局から、無線基地局の稼働に関連する基地局関連データを収集する基地局関連データ収集部と、
複数の前記基地局関連データを格納する基地局関連データ格納部と、
前記複数の基地局関連データから送信用データを抽出する抽出条件を設定する抽出条件設定部と、
前記複数の基地局関連データから前記送信用データを抽出して送信する時間間隔と、前記送信用データを送信する送信方法及び送信先とを含む送信条件を設定する送信条件設定部と、
前記送信条件設定部によって設定された時間間隔で、前記抽出条件に従って抽出した送信用データを、前記送信条件設定部によって設定された送信方法で前記送信先に送信するデータ送信部と
を備えるデータ送信装置。
【請求項２】
前記抽出条件の名称を入力する名称入力欄及びＳＱＬを入力するＳＱＬ入力欄を含む抽出条件設定画面を出力する抽出条件設定画面出力部、
をさらに備え、
前記抽出条件設定部は、前記ＳＱＬ入力欄に対して入力されたＳＱＬを前記抽出条件として取得する、請求項１に記載のデータ送信装置。
【請求項３】
前記時間間隔を選択する時間間隔選択欄と、前記送信方法を選択する送信方法選択欄と、前記送信先を入力する送信先入力欄とを含む送信条件設定画面を出力する送信条件設定画面出力部
をさらに備え、
前記送信条件設定部は、前記時間間隔選択欄において選択された時間間隔と、前記送信方法選択欄において選択された送信方法と、前記送信先入力欄に入力された送信先とを、前記送信条件として取得する、請求項１又は２に記載のデータ送信装置。
【請求項４】
前記基地局関連データは、前記無線基地局の構成を示す基地局構成データ、前記無線基地局に設定された基地局設定データ、及び前記無線基地局により測定された測定データの少なくともいずれかを含む、請求項１から３のいずれか一項に記載のデータ送信装置。
【請求項５】
前記基地局構成データは、前記無線基地局が有するハードウエアの数、前記ハードウエアの種類、前記ハードウエアのファームウエアのバージョン、前記ハードウエアに搭載されているボードの種類、及び前記ボードの数を含み、
前記基地局設定データは、基地局ＩＤ、セルＩＤ、周波数、ＩＰアドレス、送信電力、アンテナの角度、接続端末上限数、及び前記基地局にインストールされたソフトウエア情報の少なくともいずれかを含み、
前記測定データは、前記無線基地局と接続している無線通信端末との間のスループット、パケット接続率、及び通信データ量と、帯域使用率と、前記無線基地局がカバーするエリアに在圏する無線通信端末の数との少なくともいずれかを含む、請求項４に記載のデータ送信装置。
【請求項６】
前記基地局関連データ収集部は、複数の無線基地局に接続されたオペレーションサポートシステムに格納されたデータ出力用スクリプトに従って前記オペレーションサポートシステムが予め定められた時間間隔で送信した、当該複数の無線基地局のそれぞれの基地局データを受信する、請求項１から５のいずれか一項に記載のデータ送信装置。
【請求項７】
コンピュータを、請求項１から６のいずれか一項に記載のデータ送信装置として機能させるためのプログラム。
【発明の詳細な説明】
【技術分野】
【０００１】
本発明は、データ送信装置及びプログラムに関する。
【背景技術】
【０００２】
従来、無線基地局の設置場所を適切に決定するべく、設置場所の候補であるエリアの地形データと障害物の高さデータとを取得して、障害物によって既存の無線基地局からの電波が届かないエリアを特定する技術が知られていた（例えば、特許文献１参照）。
［先行技術文献］
［特許文献］
［特許文献１］特開２００４−２４１７９９号公報
【発明の概要】
【発明が解決しようとする課題】
【０００３】
複数の無線基地局により提供される実際の無線ネットワークの状況を効率的に把握することを支援するシステムの提供が望まれていた。
【課題を解決するための手段】
【０００４】
本発明の第１の態様によれば、複数の無線基地局から、無線基地局の稼働に関連する基地局関連データを収集する基地局関連データ収集部と、複数の基地局関連データを格納する基地局関連データ格納部と、複数の基地局関連データから送信用データを抽出する抽出条件を設定する抽出条件設定部と、複数の基地局関連データから送信用データを抽出して送信する時間間隔と、送信用データを送信する送信方法及び送信先とを含む送信条件を設定する送信条件設定部と、送信条件設定部によって設定された時間間隔で、抽出条件に従って抽出した送信用データを、送信条件設定部によって設定された送信方法で送信先に送信するデータ送信部とを備えるデータ送信装置が提供される。
【０００５】
上記データ送信装置は、抽出条件の名称を入力する名称入力欄及びＳＱＬを入力するＳＱＬ入力欄を含む抽出条件設定画面を出力する抽出条件設定画面出力部をさらに備えてよく、抽出条件設定部は、ＳＱＬ入力欄に対して入力されたＳＱＬを抽出条件として取得してよい。上記データ送信装置は、時間間隔を選択する時間間隔選択欄と、送信方法を選択する送信方法選択欄と、送信先を入力する送信先入力欄とを含む送信条件設定画面を出力する送信条件設定画面出力部をさらに備えてよく、送信条件設定部は、時間間隔選択欄において選択された時間間隔と、送信方法選択欄において選択された送信方法と、送信先入力欄に入力された送信先とを、送信条件として取得してよい。
【０００６】
上記データ送信装置において、基地局関連データは、無線基地局の構成を示す基地局構成データ、無線基地局に設定された基地局設定データ、及び無線基地局により測定された測定データの少なくともいずれかを含んでよい。上記データ送信装置において、基地局構成データは、無線基地局が有するハードウエアの数、ハードウエアの種類、ハードウエアのファームウエアのバージョン、ハードウエアに搭載されているボードの種類、及びボードの数を含んでよく、基地局設定データは、基地局ＩＤ、セルＩＤ、周波数、ＩＰアドレス、送信電力、アンテナの角度、接続端末上限数、及び基地局にインストールされたソフトウエア情報の少なくともいずれかを含んでよく、測定データは、無線基地局と接続している無線通信端末との間のスループット、パケット接続率、及び通信データ量と、帯域使用率と、無線基地局がカバーするエリアに在圏する無線通信端末の数との少なくともいずれかを含んでよい。上記データ送信装置において、基地局関連データ収集部は、複数の無線基地局に接続されたオペレーションサポートシステムに格納されたデータ出力用スクリプトに従ってオペレーションサポートシステムが予め定められた時間間隔で送信した、当該複数の無線基地局のそれぞれの基地局データを受信してよい。
【０００７】
本発明の第２の態様によれば、コンピュータを、上記データ送信装置として機能させるためのプログラムが提供される。
【０００８】
なお、上記の発明の概要は、本発明の必要な特徴の全てを列挙したものではない。また、これらの特徴群のサブコンビネーションもまた、発明となりうる。
【図面の簡単な説明】
【０００９】
【図１】本実施形態に係るＣＩＳの通信環境の一例を概略的に示す。
【図２】ＣＩＳの機能構成の一例を概略的に示す。
【図３】条件リストの一例を概略的に示す。
【図４】抽出条件設定画面の一例を概略的に示す。
【図５】送信条件設定画面の一例を概略的に示す。
【図６】ＣＩＳによる処理の流れの一例を示す。
【発明を実施するための形態】
【００１０】
以下、発明の実施の形態を通じて本発明を説明するが、以下の実施形態は特許請求の範囲にかかる発明を限定するものではない。また、実施形態の中で説明されている特徴の組み合わせの全てが発明の解決手段に必須であるとは限らない。
【００１１】
図１は、本実施形態に係るＣＩＳ（Ｃａｐａｃｉｔｙ  Ｉｎｖｅｓｔｉｇａｔｉｏｎ  Ｓｙｓｔｅｍ）１００の通信環境の一例を概略的に示す。ＣＩＳ１００は、データ送信装置の一例である。
【００１２】
ＣＩＳ１００は、複数の無線基地局１０から、無線基地局１０の稼働に関連する基地局関連データを収集する。無線基地局１０は、いわゆる３Ｇ、ＬＴＥ、４Ｇ等の移動通信システムにおける無線基地局であってよい。基地局関連データは、無線基地局１０の構成を示す基地局構成データ、無線基地局１０に設定された基地局設定データ、及び無線基地局１０により測定された測定データ等であってよい。
【００１３】
基地局構成データは、例えば、無線基地局１０が有するハードウエアの数、無線基地局１０が有するハードウエアの種類、無線基地局１０が有するハードウエアのファームウエアのバージョン、無線基地局１０が有するハードウエアに搭載されているボードの種類、及び当該ボードの数等である。
【００１４】
基地局設定データは、例えば無線基地局１０を識別する基地局ＩＤ、無線基地局１０の通信エリアをカバーするセルを識別するセルＩＤ、無線基地局１０が利用する周波数帯域、無線基地局１０に割り当たられたＩＰアドレス、無線基地局１０による送信電力、無線基地局１０が備えるアンテナの角度、無線基地局１０に設定された接続端末上限数、及び無線基地局１０にインストールされたソフトウエア情報等である。
【００１５】
測定データは、無線基地局１０の帯域使用率、無線基地局１０がカバーする通信エリアに在圏する無線通信端末１２の数、並びに無線基地局１０と無線通信端末１２との間のスループット、パケット接続率、及び通信データ量等である。
【００１６】
ＣＩＳ１００は、複数のＯＳＳ（オペレーションサポートシステム）３０から、それぞれのＯＳＳ３０が管理する無線基地局１０の基地局関連データを受信してよい。ＯＳＳ３０は、自らが管理する無線基地局１０から、ＲＮＣ（Ｒａｄｉｏ  Ｎｅｔｗｏｒｋ  Ｃｏｎｔｒｏｌｌｅｒ）２０を介して、定期的に基地局関連データを受信して保持する。
【００１７】
ここで、一般に、ＯＳＳ３０による基地局関連データの保持期間は１日程度の場合がある。本実施形態において、ＣＩＳ１００は、ＯＳＳ３０に格納されたデータ出力用スクリプトに従ってＯＳＳ３０が予め定められた時間間隔で送信した基地局関連データを、受信して格納する。ＯＳＳ３０に格納されたデータ出力用スクリプトは、ＯＳＳ３０による基地局関連データ保持期間よりも短い時間間隔で、ＯＳＳ３０に基地局関連データをＣＩＳ１００に送信させてよい。これにより、ＯＳＳ３０によって保持された基地局関連データが、ＯＳＳ３０によって破棄される前に、ＣＩＳ１００に基地局関連データを送信させることができる。
【００１８】
ＣＩＳ１００は、ＯＳＳ３０から受信した複数の基地局関連データを格納する。ＣＩＳ１００は、予め設定された複数の抽出条件のそれぞれに従って、予め設定された時間間隔で、複数の基地局関連データから送信用データを抽出する。そして、ＣＩＳ１００は、抽出した送信用データを、予め設定された送信方法で、予め設定された送信先に送信する。
【００１９】
抽出条件、時間間隔、送信方法、及び送信先は、例えば、複数の無線基地局１０を管理する管理者２１０によって設定されてよい。管理者２１０は、例えば、情報端末２００を用いて、抽出条件、時間間隔、送信方法、及び送信先を設定する。情報端末２００は、管理者２１０によって使用されるＰＣ（Ｐｅｒｓｏｎａｌ  Ｃｏｍｐｕｔｅｒ）、携帯電話、及びタブレット端末等であってよい。
【００２０】
ＣＩＳ１００は、Ｗｅｂサーバを備えてよく、抽出条件、時間間隔、送信方法、及び送信先を設定するＷｅｂページ及びＷｅｂアプリケーション等を、ＩＰネットワーク等のネットワーク５０を介して提供してよい。管理者２１０は、情報端末２００の表示部２０２に表示された設定画面に対して、入力部２０４を用いて、抽出条件、時間間隔、送信方法、及び送信先を設定してよい。
【００２１】
ＣＩＳ１００は、送信用データを、ネットワーク５０を介して、情報端末２００及びファイルサーバ３００等に送信してよい。ＣＩＳ１００は、ＦＴＰを使用して送信用データを送信してよく、また、送信用データをメールに添付して送信してもよい。
【００２２】
管理者２１０は、自らが設定した抽出条件及び時間間隔に従って抽出された送信用データを閲覧することによって、ＣＩＳ１００に格納された膨大な基地局データから、必要な情報を必要なタイミングで確認できる。例えば、管理者２１０は、複数の無線基地局１０の通信エリアをカバーする複数のセルが収容する無線通信端末１２の数の変動を確認することによって、機能を強化すべき無線基地局１０を判断したり、無線基地局１０の増設を検討したりできる。
【００２３】
図２は、ＣＩＳ１００の機能構成の一例を概略的に示す。ＣＩＳ１００は、基地局関連データ収集部１０２、基地局関連データ格納部１０４、抽出条件設定部１０６、抽出条件設定画面出力部１０８、入力受付部１１０、入力部１１１、送信条件設定部１１２、送信条件設定画面出力部１１４、条件格納部１１６、条件リスト出力部１１７、及びデータ送信部１１８を備える。
【００２４】
基地局関連データ収集部１０２は、複数の無線基地局１０から、基地局関連データを収集する。基地局関連データ収集部１０２は、複数のＯＳＳ３０から、それぞれのＯＳＳ３０が管理する無線基地局１０の基地局関連データを受信してよい。基地局関連データ格納部１０４は、基地局関連データ収集部１０２が収集した複数の基地局関連データを格納する。
【００２５】
抽出条件設定部１０６は、基地局関連データ格納部１０４に格納された複数の基地局関連データから送信用データを抽出する抽出条件を設定する。例えば、抽出条件設定部１０６は、情報端末２００からの指示に従って抽出条件を設定する。
【００２６】
抽出条件設定部１０６は、抽出条件設定画面出力部１０８に、抽出条件の設定画面を出力させてよい。例えば、抽出条件設定画面出力部１０８は、情報端末２００に、抽出条件の設定画面を表示させる。一例として、抽出条件設定画面出力部１０８は、抽出条件の設定画面をＷｅｂページ又はＷｅｂアプリケーションとして情報端末２００の表示部２０２に表示させる。
【００２７】
入力受付部１１０は、抽出条件の設定画面に対して、入力部２０４を介して入力された抽出条件を、ネットワーク５０を介して受け付けてよい。抽出条件設定部１０６は、入力受付部１１０が受け付けた抽出条件を設定してよい。
【００２８】
入力受付部１１０は、入力部１１１を介した抽出条件の設定入力を受け付けてもよい。入力部１１１は、例えば、マウス及びキーボード等の入力デバイスである。
【００２９】
送信条件設定部１１２は、基地局関連データ格納部１０４に格納された複数の基地局関連データから、送信用データを抽出して送信する時間間隔と、送信用データを送信する送信方法及び送信先とを含む送信条件を設定する。例えば、送信条件設定部１１２は、情報端末２００からの指示に従って、送信条件を設定する。
【００３０】
送信条件設定部１１２は、送信条件設定画面出力部１１４に、送信条件の設定画面を出力させてよい。例えば、送信条件設定画面出力部１１４は、情報端末２００に、送信条件の設定画面を表示させる。一例として、送信条件設定画面出力部１１４は、送信条件の設定画面をＷｅｂページ又はＷｅｂアプリケーションとして情報端末２００の表示部２０２に表示させる。
【００３１】
入力受付部１１０は、送信条件の設定画面に対して、入力部２０４を介して入力された送信条件を、ネットワーク５０を介して受け付けてよい。送信条件設定部１１２は、入力受付部１１０が受け付けた送信条件を設定してよい。入力受付部１１０は、入力部１１１を介した送信条件の設定入力を受け付けてもよい。
【００３２】
条件格納部１１６は、抽出条件設定部１０６によって設定された抽出条件と、送信条件設定部１１２によって設定された送信条件とを格納する。条件格納部１１６は、複数の抽出条件をリスト化した条件リストを生成して格納してよい。条件リスト出力部１１７は、条件格納部１１６に格納された条件リストを出力する。条件リスト出力部１１７は、例えば、情報端末２００の入力部２０４に、条件リストを表示させる。
【００３３】
データ送信部１１８は、条件格納部１１６に格納された抽出条件及び送信条件に基づいて、基地局関連データ格納部１０４に格納された複数の基地局関連データから送信用データを抽出して、送信する。データ送信部１１８は、送信条件設定部１１２によって設定された時間間隔で、抽出条件設定部１０６によって設定された抽出条件に従って抽出した送信用データを、送信条件設定部１１２によって設定された送信方法で、送信条件設定部１１２によって設定された送信先に送信してよい。
【００３４】
図３は、条件リスト１２０の一例を概略的に示す。条件リスト１２０は、抽出条件ＩＤ欄１２２、抽出条件名称欄１２４、実行ボタン欄１２６、編集ボタン欄１３０、削除ボタン欄１３４、及び送信条件設定ボタン欄１３８を含む。
【００３５】
抽出条件ＩＤ欄１２２には、抽出条件毎に、抽出条件を識別する抽出条件ＩＤが配置される。抽出条件名称欄１２４には、抽出条件毎に、抽出条件の名称が配置される。抽出条件の名称は、抽出条件を設定する設定者によって設定可能であってよい。また、抽出条件の名称は変更可能であってよい。設定者は、例えば、複数の無線基地局１０を管理する管理者２１０である。
【００３６】
実行ボタン欄１２６には、抽出条件毎に実行ボタン１２８が配置される。編集ボタン欄１３０には、抽出条件毎に編集ボタン１３２が配置される。削除ボタン欄１３４には、抽出条件毎に削除ボタン１３６が配置される。送信条件設定ボタン欄１３８には、抽出条件毎に送信条件設定ボタン１４０が配置される。
【００３７】
条件リスト１２０は、例えば、条件リスト出力部１１７によって、情報端末２００に出力される。情報端末２００の表示部２０２は、条件リスト１２０を表示してよい。
【００３８】
入力受付部１１０は、条件リスト１２０に対する入力を受け付けてよい。例えば、入力受付部１１０は、情報端末２００の入力部２０４による、条件リスト１２０に対する入力を受け付けてよい。
【００３９】
入力受付部１１０は、編集ボタン１３２の操作における入力を受け付けてよい。入力受付部１１０は、例えば、編集ボタン１３２の操作におけるポインティング入力を、ネットワーク５０を介して受け付ける。入力受付部１１０が編集ボタン１３２の操作における入力を受け付けた場合、抽出条件設定部１０６は、抽出条件設定画面出力部１０８に、情報端末２００に対して、抽出条件の設定画面を出力させてよい。
【００４０】
入力受付部１１０は、送信条件設定ボタン欄１３８の操作における入力を受け付けてよい。入力受付部１１０は、例えば、送信条件設定ボタン欄１３８の操作におけるポインティング入力を、ネットワーク５０を介して受け付ける。入力受付部１１０が送信条件設定ボタン欄１３８の操作における入力を受け付けた場合、送信条件設定部１１２は、送信条件設定画面出力部１１４に、情報端末２００に対して、送信条件の設定画面を出力させてよい。
【００４１】
入力受付部１１０は、実行ボタン１２８の操作における入力を受け付けてよい。入力受付部１１０は、例えば、実行ボタン１２８の操作におけるポインティング入力を、ネットワーク５０を介して受け付ける。入力受付部１１０が実行ボタン１２８の操作における入力を受け付けた場合、データ送信部１１８は、対応する抽出条件に従って基地局関連データ格納部１０４から送信用データを抽出して、抽出した送信用データを、対応する送信条件に含まれる送信先に送信してよい。
【００４２】
入力受付部１１０は、削除ボタン１３６の操作における入力を受け付けてよい。入力受付部１１０は、例えば、削除ボタン１３６の操作におけるポインティング入力を、ネットワーク５０を介して受け付ける。入力受付部１１０が削除ボタン１３６の操作における入力を受け付けた場合、条件格納部１１６は、対応する抽出条件を、条件リスト１２０及び条件格納部１１６から削除してよい。
【００４３】
図４は、抽出条件設定画面１５０の一例を概略的に示す。抽出条件設定画面１５０は、抽出条件ＩＤ欄１５２、抽出条件名称欄１５４、及びＳＱＬ入力欄１５６を含んでよい。抽出条件ＩＤ欄１５２には、抽出条件ＩＤが配置される。抽出条件名称欄１５４には、抽出条件名称が配置される。抽出条件名称は、変更可能であってよい。
【００４４】
ＳＱＬ入力欄１５６には、基地局関連データ格納部１０４から送信用データを抽出する抽出条件が、ＳＱＬで入力される。入力受付部１１０は、ＳＱＬ入力欄１５６に入力されたＳＱＬを、抽出条件設定部１０６に送信してよい。抽出条件設定部１０６は、入力受付部１１０から受信したＳＱＬを、抽出条件として設定してよい。
【００４５】
図５は、送信条件設定画面１６０の一例を概略的に示す。送信条件設定画面１６０は、抽出条件名称欄１６２、送信要否設定オブジェクト１６４、時間間隔選択欄１６６、及び送信方法選択欄１６８を含む。
【００４６】
抽出条件名称欄１６２には、送信条件を設定する対象となる抽出条件の名称が配置される。送信要否設定オブジェクト１６４は、送信の要否を設定するためのオブジェクトである。図５では、送信要否設定オブジェクト１６４がチェックボックスである場合を例示しているが、これに限らず、送信の要否を設定できれば他のオブジェクトであってもよい。
【００４７】
時間間隔選択欄１６６は、時間間隔を選択するための欄である。図５では、時間間隔選択欄１６６が、１日毎に送信するか、１週間毎に送信するかを選択するラジオボタンである場合を例示しているが、これに限らない。設定できる時間間隔は他の時間間隔であってもよい。また、時間間隔を選択できれば、ラジオボタン以外のオブジェクトであってもよい。
【００４８】
送信方法選択欄１６８は、送信方法選択オブジェクト１７０、送信方法選択オブジェクト１７２、ユーザＩＤ入力欄１７６、パスワード入力欄１７８、及びメールアドレス入力欄１８０を含む。
【００４９】
送信方法選択オブジェクト１７０は、送信用データをＳＦＴＰで送信するか否かを設定できるオブジェクトである。送信方法選択オブジェクト１７２は、送信用データをメールで送信するか否かを設定できるオブジェクトである。
【００５０】
図５では、送信方法選択オブジェクト１７０及び送信方法選択オブジェクト１７２がチェックボックスである場合を例示しているが、これに限らない。送信用メールをＳＦＴＰで送信するか否か、送信用メールをメールで送信するか否かを設定可能であれば、他のオブジェクトであってもよい。また、送信方法は、ＳＦＴＰ及びメール以外であってもよい。
【００５１】
サーバアドレス入力欄１７４は、送信用データをＳＦＴＰで送信する送信先のサーバのアドレスを入力するための欄である。サーバアドレス入力欄１７４には、例えば、ファイルサーバ３００のＩＰアドレスが入力される。ユーザＩＤ入力欄１７６は、送信先のサーバにおける認証ユーザＩＤを入力するための欄である。パスワード入力欄１７８は、送信先のサーバにおける認証パスワードを入力するための欄である。メールアドレス入力欄１８０は、送信用データをメール送信する送信先のメールアドレスを入力するための欄である。ＣＩＳ１００が、図５に示す送信条件設定画面１６０を提供することにより、送信条件を設定する設定者は、効率的に送信条件を設定できる。
【００５２】
図６は、ＣＩＳ１００による処理の流れの一例を示す。図６では、ＣＩＳ１００が、条件格納部１１６に格納された複数の抽出条件のそれぞれについて、設定された時間間隔で送信用データの抽出及び送信を実行する処理の流れを概略的に示す。なお、図６に示す各処理は、ＣＩＳ１００が備える制御部が主体となって実行されてよい。
【００５３】
ステップ６０２（ステップをＳと省略して表記する場合がある。）では、データ送信処理の終了指示を受領したか否かを判定する。終了指示を受領していないと判定した場合、Ｓ６０４に進む。
【００５４】
Ｓ６０４では、データ送信部１１８が、データ抽出処理を実行するか否かを判定する。データ送信部１１８は、条件格納部１１６に格納された複数の抽出条件のそれぞれに対応づけられた送信条件を参照することによって、データ抽出処理を実行するか否かを判定してよい。
【００５５】
データ送信部１１８によって、データ抽出処理を実行すると判定された場合、Ｓ６０６に進み、データ抽出処理を実行すると判定されなかった場合、Ｓ６０２に戻る。Ｓ６０６では、データ送信部１１８が、条件格納部１１６から抽出条件を取得する。
【００５６】
Ｓ６０８では、データ送信部１１８が、Ｓ６０６で取得した抽出条件に従って、基地局関連データ格納部１０４から送信用データを抽出する。Ｓ６１０では、データ送信部１１８が、条件格納部１１６に格納された送信条件から、送信方法及び送信先を取得する。Ｓ６１２では、データ送信部１１８が、Ｓ６０８で抽出した送信用データを、Ｓ６１０で取得した送信先に、Ｓ６１０で取得した送信方法で、送信する。
【００５７】
Ｓ６０２で、終了指示を受領したと判定された場合、処理を終了する。ＣＩＳ１００が、上述した処理を実行することにより、条件格納部１１６に格納された複数の抽出条件について、設定された時間間隔で、送信用データが抽出されて、設定された宛先に設定された送信方法で送信される。
【００５８】
上述した実施形態では、送信条件が、基地局関連データ格納部１０４から送信用データを抽出して送信する時間間隔と、送信用データを送信する送信方法及び送信先とを含む場合を例に挙げて説明したが、これに限らない。送信条件は、送信用データのデータ形式を含んでもよい。例えば、データ形式は、ｘｍｌファイル形式及びｃｓｖデータ形式等を含む。
【００５９】
以上の説明において、ＣＩＳ１００の各部は、ハードウエアにより実現されてもよく、ソフトウエアにより実現されてもよい。また、ハードウエアとソフトウエアとの組み合わせにより実現されてもよい。また、プログラムが実行されることにより、コンピュータが、ＣＩＳ１００として機能してもよい。プログラムは、コンピュータ読み取り可能な媒体又はネットワークに接続された記憶装置から、ＣＩＳ１００の少なくとも一部を構成するコンピュータにインストールされてよい。
【００６０】
コンピュータにインストールされ、コンピュータを本実施形態に係るＣＩＳ１００として機能させるプログラムは、ＣＰＵ等に働きかけて、コンピュータを、ＣＩＳ１００の各部としてそれぞれ機能させる。これらのプログラムに記述された情報処理は、コンピュータに読込まれることにより、ソフトウエアとＣＩＳ１００のハードウエア資源とが協働した具体的手段として機能する。
【００６１】
以上、本発明を実施の形態を用いて説明したが、本発明の技術的範囲は上記実施の形態に記載の範囲には限定されない。上記実施の形態に、多様な変更または改良を加えることが可能であることが当業者に明らかである。その様な変更または改良を加えた形態も本発明の技術的範囲に含まれ得ることが、特許請求の範囲の記載から明らかである。
【００６２】
特許請求の範囲、明細書、および図面中において示した装置、システム、プログラム、および方法における動作、手順、ステップ、および段階などの各処理の実行順序は、特段「より前に」、「先立って」などと明示しておらず、また、前の処理の出力を後の処理で用いるのでない限り、任意の順序で実現しうることに留意すべきである。特許請求の範囲、明細書、および図面中の動作フローに関して、便宜上「まず、」、「次に、」などを用いて説明したとしても、この順で実施することが必須であることを意味するものではない。
【符号の説明】
【００６３】
１０  無線基地局、１２  無線通信端末、２０  ＲＮＣ、３０  ＯＳＳ、５０  ネットワーク、１００  ＣＩＳ、１０２  基地局関連データ収集部、１０４  基地局関連データ格納部、１０６  抽出条件設定部、１０８  抽出条件設定画面出力部、１１０  入力受付部、１１１  入力部、１１２  送信条件設定部、１１４  送信条件設定画面出力部、１１６  条件格納部、１１７  条件リスト出力部、１１８  データ送信部、１２０  条件リスト、１２２  抽出条件ＩＤ欄、１２４  抽出条件名称欄、１２６  実行ボタン欄、１２８  実行ボタン、１３０  編集ボタン欄、１３２  編集ボタン、１３４  削除ボタン欄、１３６  削除ボタン、１３８  送信条件設定ボタン欄、１４０  送信条件設定ボタン、１５０  抽出条件設定画面、１５２  抽出条件ＩＤ欄、１５４  抽出条件名称欄、１５６  ＳＱＬ入力欄、１６０  送信条件設定画面、１６２  抽出条件名称欄、１６４  送信要否設定オブジェクト、１６６  時間間隔選択欄、１６８  送信方法選択欄、１７０  送信方法選択オブジェクト、１７２  送信方法選択オブジェクト、１７４  サーバアドレス入力欄、１７６  ユーザＩＤ入力欄、１７８  パスワード入力欄、１８０  メールアドレス入力欄、２００  情報端末、２０２  表示部、２０４  入力部、２１０  管理者、３００  ファイルサーバ
【要約】
【課題】複数の無線基地局により提供される実際の無線ネットワークの状況を効率的に把握することを支援するシステムの提供が望まれていた。
【解決手段】複数の無線基地局から、無線基地局の稼働に関連する基地局関連データを収集する基地局関連データ収集部と、複数の基地局関連データを格納する基地局関連データ格納部と、複数の基地局関連データから送信用データを抽出する抽出条件を設定する抽出条件設定部と、複数の基地局関連データから送信用データを抽出して送信する時間間隔と、送信用データを送信する送信方法及び送信先とを含む送信条件を設定する送信条件設定部と、送信条件設定部によって設定された時間間隔で、抽出条件に従って抽出した送信用データを、送信条件設定部によって設定された送信方法で送信先に送信するデータ送信部とを備えるデータ送信装置を提供する。
【選択図】図２【図１】
0005508594.tif 000002
【図２】
0005508594.tif 000003
【図３】
0005508594.tif 000004
【図４】
0005508594.tif 000005
【図５】
0005508594.tif 000006
【図６】
0005508594.tif 000007